(57)【要約】    【課題】  製造時におけるロータハブに対するロータマグネットの軸方向位置の良好な精度を容易に実現し、ロータマグネットによる磁束が磁気シールド部を多量に流れることによりモータの特性に悪影響を生じ消費電力が高いものとなることを防ぐ。    【解決手段】  強磁性材料製のロータハブ１８の外周部の軸方向中間位置に径方向外方に張出した環状の磁気シールド部１８ｃを設ける。磁気シールド部１８ｃの上方側のハードディスク支持部１８ｄ上にハードディスクＨＤを固定支持する。磁気シールド部１８ｃの下方側の径方向内方部に、ロータハブ１８の軸線を中心とする下方突出の環状突条部１８ｇを形成する。径方向に着磁された環状のロータマグネット２０をロータハブ１８に外嵌固定する。磁気シールド部１８ｃの環状突条部１８ｇの下端環状部を、ロータマグネット２０の上面のうち、径方向においてＳ極とＮ極の間の磁気的に中立状をなす部分に当接させる。【選択図】      図１
2006246624.tif 000002
【特許請求の範囲】
【請求項１】
ロータハブに同軸状に嵌合保持された環状のロータマグネットと、そのロータマグネットの内周面又は外周面と径方向に相対するステータを備え、前記ロータマグネットは、径方向に着磁され、ステータと相対する周面の周方向に２以上の磁極が形成されているスピンドルモータであって、
前記ロータマグネットの軸方向一方側に、強磁性材料製の磁気シールド部を、ロータハブの一部又はロータハブに対し位置決めされた別部材として有し、
前記磁気シールド部のうち、ロータマグネットの前記軸方向一方側に相対する部分には、軸方向他方に向かって突起する突起部が形成され、その突起部の軸方向における端部が、前記ロータマグネットの前記軸方向一方側の部分のうち磁気的に中立状をなす部分と当接していることを特徴とするスピンドルモータ。
【請求項２】
上記突起部の軸方向における端部が、ロータマグネットの軸方向一方側の部分のうち、径方向においてＳ極とＮ極の間の磁気的に中立状をなす部分に当接する請求項１記載のスピンドルモータ。
【請求項３】
上記突起部の軸方向における端部が、ロータマグネットの軸方向一方側の部分のうち、周方向において隣接磁極同士を分ける中心角度位置の部分に当接する請求項１又は２記載のスピンドルモータ。
【請求項４】
上記突起部が、回転軸線を中心とする環状をなす請求項２記載のスピンドルモータ。
【請求項５】
上記突起部が、上記軸方向他方に向かって先細となる円錐状をなし、複数の突起部が回転軸線を中心とする周方向間隔おきに配設された請求項１、２又は３記載のスピンドルモータ。
【請求項６】
上記突起部が、上記ロータハブの径方向に沿った突条状をなし、複数の突起部が回転軸線を中心とする周方向間隔おきに配設された請求項３記載のスピンドルモータ。
【請求項７】
上記環状のロータマグネットの軸方向高さが、その外半径と内半径との差の２倍以下である請求項１乃至６の何れかに記載のスピンドルモータ。
【請求項８】
少なくとも、請求項１乃至７記載の何れかのスピンドルモータと、そのスピンドルモータにより回転駆動する記録ディスクを支持するための記録ディスク支持部と、記録ディスク支持部に支持された記録ディスクについて情報の読み書きを行なうためのアクセス機構を、ケースに内包してなるディスク記録装置。
【発明の詳細な説明】
【技術分野】
【０００１】
本発明は、ハードディスク等の磁気ディスク、各種光ディスク、光磁気ディスク等のディスク状記録媒体を回転駆動するためのスピンドルモータに関する。
【背景技術】
【０００２】
図１０及び図１１は、それぞれ、ロータハブＨの外周側に外嵌固定された環状のロータマグネットＭが、径方向外方に位置するステータＳに相対する、従来のハードディスク等の記録用ディスク回転駆動用のスピンドルモータの断面図である。
【０００３】
これらのスピンドルモータのロータハブＨにおいては、ロータマグネットＭ上面（軸方向において記録用ディスクが位置する側の面）と対向する部位に、ロータマグネットＭが発生する磁束がスピンドルモータから漏洩したり、磁束の流れを阻害したりすることがないように、強磁性材料からなる環状の磁気シールド部Ｈａが設けられている。またＷＯ００／０６２４０４号国際公開パンフレット（特許文献１）の図５には、ロータハブと別部材の強磁性体からなる環状の磁気シールド部を用いたスピンドルモータの例が記載されている。
【０００４】
図１０及びＷＯ００／０６２４０４号国際公開パンフレットの図５に示すスピンドルモータの場合、ロータマグネットＭの上面を磁気シールド部Ｈａ下面に当接させている。しかしながら、このロータマグネットＭの上面が磁気シールド部Ｈａ下面に当接すると、当接部で磁場が短絡してしまう。その結果、本来モータの駆動力として作用すべき磁束が、十分に作用せず、その結果、トルク定数が低下し、励磁電流が増大して消費電力が増大してしまう。モータに対する省消費電力性の要請は高いが、携帯機器等に用いられるような小型のモータの場合、特に要求が厳しい。
【０００５】
このような磁場の短絡を防ぐために、図１１に示すスピンドルモータのようにロータマグネットＭの上面と磁気シールド部Ｈａ下面との間に間隙を設けると、製造時におけるロータマグネットＭの軸方向の位置決めを容易に行い得ず、必要な精度を実現することが困難になる。特に、軸方向の厚さが１０ｍｍ以下のモータにおいては、ロータマグネットＭの位置精度がモータの特性に与える影響は大きい。
【特許文献１】ＷＯ００／０６２４０４号国際公開パンフレット
【発明の開示】
【発明が解決しようとする課題】
【０００６】
本発明は、従来技術に存した上記のような課題に鑑み行われたものであって、その目的とするところは、製造時におけるロータハブに対するロータマグネットの軸方向位置の良好な精度を容易に実現し得ると共に、ロータマグネットによる磁束が磁気シールド部を多量に流れることによりモータの特性に悪影響を生じ消費電力が高いものとなることを防ぐことができるスピンドルモータを提供することにある。
【課題を解決するための手段】
【０００７】
(1)  上記目的を達成する本発明のスピンドルモータは、
ロータハブに同軸状に嵌合保持された環状のロータマグネットと、そのロータマグネットの内周面又は外周面と径方向に相対するステータを備え、前記ロータマグネットは、径方向に着磁され、ステータと相対する周面の周方向に２以上の磁極が形成されているスピンドルモータであって、
前記ロータマグネットの軸方向一方側に、強磁性材料製の磁気シールド部を、ロータハブの一部又はロータハブに対し位置決めされた別部材として有し、
前記磁気シールド部のうち、ロータマグネットの前記軸方向一方側に相対する部分には、軸方向他方に向かって突起する突起部が形成され、その突起部の軸方向における端部が、前記ロータマグネットの前記軸方向一方側の部分のうち磁気的に中立状をなす部分と当接していることを特徴とする。
【０００８】
ロータハブに同軸状に嵌合保持された環状のロータマグネットの軸方向一方側（例えば、回転軸に垂直な環状面）に、ロータハブの一部又はロータハブに対し位置決めされた別部材である磁気シールド部の一部が当接することにより、ロータマグネットがロータハブに対し軸方向に位置決めされる。磁気シールド部は、軸方向一方側に対しロータマグネットの磁気を遮蔽する効果を奏する。
【０００９】
ロータハブに当接しているのは、磁気シールド部のうち軸方向に突出する突起部の軸方向における端部である。突起部は、強磁性材料製の磁気シールド部の一部ではあるが、ロータマグネットの軸方向一方側の部分のうち磁気的に中立状をなす部分（すなわち、磁束の流出又は流入の量が最小又はその近傍である部分）と当接するものであるため、ロータマグネットによる磁束が突起部を通って磁気シールド部を流れることが可及的に防がれる。
【００１０】
そのため、製造時におけるロータハブに対するロータマグネットの軸方向位置の精度を高めて所期のモータ特性を確実性高く実現し得ると共に、ロータマグネットによる磁束が磁気シールド部を多量に流れることによりモータの特性に悪影響を生じ消費電力が高いものとなることを防ぐことができる。
【００１１】
(2)  上記スピンドルモータは、上記突起部の軸方向における端部が、ロータマグネットの軸方向一方側の部分のうち、径方向においてＳ極とＮ極の間の磁気的に中立状をなす部分に当接するものとすることができる。
【００１２】
この場合、上記ロータマグネットは径方向に着磁されているので、ロータマグネットの軸方向一方側の部分のうち、径方向におけるＳ極とＮ極の間に磁気的に中立状をなす部分が存在する。その部分に、磁気シールド部の突起部の軸方向における端部が当接するので、ロータマグネットによる磁束が突起部を通って磁気シールド部を流れることが可及的に防がれる。
【００１３】
(3)  また上記スピンドルモータは、上記突起部の軸方向における端部が、ロータマグネットの軸方向一方側の部分のうち、周方向において隣接磁極同士を分ける中心角度位置の部分に当接するものとすることができる。
【００１４】
この場合、上記ロータマグネットは、ステータと相対する周面の周方向に２以上の磁極が形成されているので、ロータマグネットの軸方向一方側の部分のうち、周方向において隣接磁極同士を分ける中心角度位置の部分に磁気的に中立状をなす部分が存在する。その部分に、磁気シールド部の突起部の軸方向における端部が当接するので、ロータマグネットによる磁束が突起部を通って磁気シールド部を流れることが可及的に防がれる。
【００１５】
(4)  上記(2)のスピンドルモータは、上記突起部が、回転軸線を中心とする環状をなすものとすることができる。
【００１６】
この場合、ロータマグネットの軸方向一方側の部分のうち、径方向においてＳ極とＮ極の間の磁気的に中立状をなす部分は、環状をなすので、突起部が回転軸線を中心とする環状をなす場合、その突起部の環状をなす軸方向端部が、前記の環状をなす中立状部分に当接するものとすることができる。これにより、ロータマグネットによる磁束が突起部を通って磁気シールド部を流れることが防がれる。
【００１７】
(5)  上記(1)、(2)又は(3)記載のスピンドルモータは、上記突起部が、上記軸方向他方に向かって先細となる円錐状をなし、複数の突起部が回転軸線を中心とする周方向間隔おきに配設されたものとすることができる。
【００１８】
この場合、軸方向他方に向かって先細となる円錐状の複数の突起部が回転軸線を中心とする周方向間隔おきに配設され、それらの突起部の軸方向における端部が、ロータマグネットの軸方向一方側の部分のうち磁気的に中立状をなす部分に当接するので、ロータマグネットによる磁束が突起部を通って磁気シールド部を流れることがより確実に防がれる。
【００１９】
(6)  上記(3)記載のスピンドルモータは、上記突起部が、上記ロータハブの径方向に沿った突条状をなし、複数の突起部が回転軸線を中心とする周方向間隔おきに配設されたものとすることができる。
【００２０】
この場合、ロータハブの径方向に沿った突条状の複数の突起部が回転軸線を中心とする周方向間隔おきに配設され、それらの突起部の軸方向における端部が、ロータマグネットの軸方向一方側の部分のうち、周方向において隣接磁極同士を分ける中心角度位置の部分に当接するので、ロータマグネットによる磁束が突起部を通って磁気シールド部を流れることが防がれる。
【００２１】
(7)  また本発明のスピンドルモータは、上記環状のロータマグネットの軸方向高さが、その外半径と内半径との差の２倍以下であるものが好ましい。
【００２２】
軸方向高さが径方向幅（外半径と内半径の差）の２倍以下である扁平な環状ロータマグネットである場合、ステータに入る磁束量が少なくなり、軸方向への磁束の回り込みが相対的に大きくなるため、特に本発明の効果がよく発揮され得る。この効果は、軸方向高さが径方向幅の２倍を下回る度合いが大きいほど、すなわち扁平であればあるほど、発揮されることとなる。
【００２３】
(8)  また本発明のディスク記録装置は、少なくとも、上記何れかのスピンドルモータと、そのスピンドルモータにより回転駆動する記録ディスクを支持するための記録ディスク支持部と、記録ディスク支持部に支持された記録ディスクについて情報の読み書きを行なうためのアクセス機構を、ケースに内包してなるものである。
【発明の効果】
【００２４】
本発明においては、そのスピンドルモータ及びディスク記録装置のスピンドルモータは、環状のロータマグネットの軸方向一方側に、ロータハブの一部又はロータハブに対し位置決めされた別部材である磁気シールド部が当接することにより、ロータマグネットがロータハブに対し軸方向に位置決めされる。突起部は、強磁性材料製の磁気シールド部の一部ではあるが、ロータマグネットの軸方向一方側の部分のうち磁気的に中立状をなす部分と当接するものであるため、ロータマグネットによる磁束が突起部を通って磁気シールド部を流れることが可及的に防がれる。そのため、製造時におけるロータハブに対するロータマグネットの軸方向位置の精度を高めて所期のモータ特性を確実性高く実現し得ると共に、ロータマグネットによる磁束が磁気シールド部を多量に流れることによりモータの特性に悪影響を生じ消費電力が高いものとなることを防ぐことができる。
【発明を実施するための最良の形態】
【００２５】
本発明の実施の形態を、図１乃至図９を参照しつつ説明する。
【００２６】
図１乃至図３は第１の実施の形態についてのものであって、図１はスピンドルモータの要部断面図、図２は、図１記載のスピンドルモータを用いたハードディスク記録装置の断面図、図３はロータマグネットの平面図である。
【００２７】
ハードディスク記録装置ＨＤＤは、ケースＣＳ内に、ハードディスクＨＤが固定されたスピンドルモータＳＰＭと、読み書きヘッドＨＥを備えたアクセス機構ＡＣが設けられてなる。読み書きヘッドＨＥは、スピンドルモータＳＰＭにより回転駆動されるハードディスクＨＤの上下両面に対し設けられている。
【００２８】
スピンドルモータＳＰＭは、主に、基盤１０と、ステータコア１２ａにステータコイル１２ｂが巻回されてなるステータ１２と、軸受スリーブ１４と、軸部１６ａとスラスト環状板部１６ｂからなる回転軸体１６と、ロータハブ１８と、環状のロータマグネット２０からなる。
【００２９】
基盤１０には、上方開口の環状凹部１０ａが形成されており、その環状凹部１０ａの中央部に、軸受保持用筒状部１０ｂが上向きに突設されている。
【００３０】
環状凹部１０ａ内の外周壁部にはステータ１２におけるステータコア１２ａが同軸状に嵌合固定されている。軸受保持用筒状部１０ｂ内には軸受スリーブ１４が同軸状に嵌合保持されている。
【００３１】
ロータハブ１８は、強磁性材料製であり、上部が上板部１８ａにより閉塞された円筒状をなし、外周部の軸方向中間位置に径方向外方に張出した環状の磁気シールド部１８ｃを有する。なお、磁気シールド部１８ｃは、ロータハブ１８における軸方向中央に位置することを要するものではない。
【００３２】
磁気シールド部１８ｃのうち上方側の径方向内方部が厚肉に形成されて環状のハードディスク支持部１８ｄ（記録ディスク支持部）を構成している。ハードディスクＨＤは、スピンドルモータＳＰＭのロータハブ１８の外周部のうちハードディスク支持部１８ｄの上側に外嵌されてハードディスク支持部１８ｄ上に支持された状態でクランパＣＬにより固定されている。
【００３３】
磁気シールド板２４のうち下方側の径方向内方部に、ロータハブ１８の軸線を中心とする下方突出の環状突条部１８ｇ（突起部）が形成されている。その環状突条部１８ｇは、上部に底辺が位置する断面略三角形状をなす。
【００３４】
ロータハブ１８と回転軸体１６は、ロータハブ１８の上板部１８ａに設けられた嵌合孔に回転軸体１６の軸部１６ａの上端が嵌合されることにより、同軸状に結合されている。回転軸体１６の軸部１６ａは、軸受スリーブ１４内に挿通され、潤滑油Ｌを介して回転自在に支持されている。軸受スリーブ１４の下端内周側にはスラスト環状凹部１４ａが設けられ、スラスト環状凹部１４ａの下側はスラスト円板２２により閉塞されている。回転軸体１６の下端に位置するスラスト環状板部１６ｂは、スラスト環状凹部１４ａ内に収容され、スラスト環状凹部１４ａの環状面及びスラスト円板２２の上面により、潤滑油Ｌを介して軸方向に支持されている。
【００３５】
ロータハブ１８の外周部のうち磁気シールド部１８ｃの下方位置に、径方向に着磁された環状のロータマグネット２０が外嵌固定されてロータを構成している。ロータマグネット２０は、その外周部及び内周部において、それぞれ周方向に交互にＮ極及びＳ極を４極ずつ有する。ロータマグネット２０の外周部はステータコア１２ａの内周部と径方向に相対している。磁気シールド部１８ｃの外径は、ロータマグネット２０の外径よりも大きく形成され、これにより、磁気シールド部１８ｃよりも上方の部分に対しロータマグネット２０の磁気を遮蔽する効果の実効性が確保されている。
【００３６】
磁気シールド部１８ｃの環状突条部１８ｇの下端環状部が、ロータマグネット２０の上面のうち、径方向においてＳ極とＮ極の間の磁気的に中立状をなす部分に当接している。軸方向高さ１．５ｍｍ、内半径３．５ｍｍ、外半径４．７５ｍｍのロータマグネット２０における上面の磁束の漏れは、離心距離約４．２ｍｍの位置が最もが小さかったため、環状突条部１８ｇの下端環状部の半径を約４．２ｍｍｍとして、ロータマグネット２０の上面のうち離心距離約４．２ｍｍの部分（径方向においてＳ極とＮ極の間の磁気的に中立状をなす部分）と環状突条部１８ｇの下端環状部とが当接するようにした。
【００３７】
これにより、ロータマグネット２０による磁束が環状突条部１８ｇを通って磁気シールド部１８ｃを流れることを可及的に防いで、ロータマグネット２０による磁束が磁気シールド部１８ｃを多量に流れることによる消費電力増大を回避しつつ、ロータハブ１８に対するロータマグネット２０の軸方向位置決めを精度良く行って所期のモータ特性を確実性高く実現することができる。
【００３８】
図４及び図５は第２の実施の形態についてのものであって、図４はスピンドルモータＳＰＭの要部断面図、図５はロータマグネットの平面図である。なお、図４及び図５における図１乃至図３と同一の符号は、図１乃至図３と同一部位を示すものであるから、それらについての詳細な説明は省略する。
【００３９】
この場合、磁気シールド部１８ｃのうち下方側の径方向内方部には、ロータハブ１８の径方向に沿った下方突出の突条部１８ｅ（突起部）が、ロータハブ１８の軸線に対し８回回転対称状に形成されている。これらの各突条部１８ｅの下端部は、ロータマグネット２０の上面のうち、周方向において隣接磁極同士を分ける中心角度位置の部分、すなわち、ロータマグネット２０の上面のうち磁気的に中立状をなす部分に当接している。これにより、ロータマグネット２０による磁束が突条部１８ｅを通って磁気シールド部１８ｃを流れることを可及的に防いで、ロータマグネット２０による磁束が磁気シールド部１８ｃを多量に流れることによる消費電力増大を回避しつつ、ロータハブ１８に対するロータマグネット２０の軸方向位置決めを精度良く行って所期のモータ特性を確実性高く実現することができる。
【００４０】
図６及び図７は第３の実施の形態についてのものであって、図６はスピンドルモータＳＰＭの要部断面図、図７はロータマグネットの平面図である。なお、図６及び図７における図１乃至図３と同一の符号は、図１乃至図３と同一部位を示すものであるから、それらについての詳細な説明は省略する。
【００４１】
この場合、磁気シールド部１８ｃのうち下方側の径方向内方部には、下方突出の円錐部１８ｆ（突起部）が、ロータハブ１８の軸線に対し８回回転対称状に形成されている。これらの円錐部１８ｆの下端頂点部は、ロータマグネット２０の上面のうち、周方向において隣接磁極同士を分ける中心角度位置であり且つ径方向においてＳ極とＮ極の間の磁気的に中立状をなす部分に当接している。これにより、ロータマグネット２０による磁束が円錐部１８ｆを通って磁気シールド部１８ｃを流れることを可及的に防いで、ロータマグネット２０による磁束が磁気シールド部１８ｃを多量に流れることによる消費電力増大を回避しつつ、ロータハブ１８に対するロータマグネット２０の軸方向位置決めを精度良く行って所期のモータ特性を確実性高く実現することができる。
【００４２】
図８及び図９は第４の実施の形態についてのものであって、図８はスピンドルモータＳＰＭの要部断面図、図９はロータマグネットの平面図である。なお、図８及び図９における図１乃至図３と同一の符号は、図１乃至図３と同一部位を示すものであるから、それらについての詳細な説明は省略する。
【００４３】
この場合、ロータハブ１９は非強磁性材料製である。ロータハブ１９が図１記載のスピンドルモータＳＰＭにおけるロータハブ１８と異なる点は、磁気シールド部１８ｃを備えず、外周部の軸方向中間位置に、径方向外方に張出した環状のハードディスク支持部１９ｄ（記録ディスク支持部）を備える点である。なお、磁気シールド部１８ｃをロータハブ１９に対し位置決めされた別部材とするのは、ロータハブ１９が非強磁性材料製の場合に限られるものではない。
【００４４】
ロータハブ１９の外周部のうちハードディスク支持部１９ｄの下側には、強磁性材料製の環状の磁気シールド板２４が外嵌され、その上面がハードディスク支持部１９ｄの下面に当接した状態で位置決めされて固定されている。
【００４５】
磁気シールド板２４のうち下方側の径方向内方部に、ロータハブ１９の軸線を中心とする下方突出の環状突条部２４ａ（突起部）が形成されている。その環状突条部２４ａは、上部に底辺が位置する断面略三角形状をなし、その下端環状部が、ロータマグネット２０の上面のうち、径方向においてＳ極とＮ極の間の磁気的に中立状をなす部分に当接している。これにより、ロータマグネット２０による磁束が環状突条部２４ａを通って磁気シールド部１８ｃを流れることを可及的に防いで、ロータマグネット２０による磁束が磁気シールド部１８ｃを多量に流れることによる消費電力増大を回避しつつ、ロータハブ１９に対するロータマグネット２０の軸方向位置決めを精度良く行って所期のモータ特性を確実性高く実現することができる。
【００４６】
なお、以上の実施の形態についての記述における上下位置関係は、単に図に基づいた説明の便宜のためのものであって、実際の使用状態等を限定するものではない。
【００４７】
また、構成部品の寸法、個数、材質、形状、その相対配置等は、この発明の範囲をそれらのみに限定する趣旨のものではなく、単なる説明例に過ぎない。本発明は、アウターロータ型のスピンドルモータやハードディスク以外の記録媒体駆動用のスピンドルモータについても適用可能であり、ロータマグネット２０の磁極数は８極に限らない。
【００４８】
ロータマグネット２０の径方向の着磁波形についても特に限定されず、矩形波状、正弦波状、又はその他の波形であってもよい。ロータマグネット２０の軸方向一方側の部分のうち、径方向においてＳ極とＮ極の間の磁気的に中立状をなす部分の位置は、ロータマグネット２０に対する着磁波形（着磁パターン）によって変化し得るため、ロータマグネット２０の径方向中央位置に限るものではない。
【００４９】
また、本発明は、例えばロータマグネット２０のサイズが高さ及び内外半径が１乃至１０ｍｍ程度（特に、１乃至５ｍｍ程度）の、小型のスピンドルモータＳＰＭに好適に適用することができるが、これに限るものではない。
【００５０】
また、環状のロータマグネット２０が用いられる場合において、その軸方向高さが径方向幅（外半径と内半径の差）の２倍以下である扁平なロータマグネット２０である場合（扁平であればあるほど）、ステータ１２に入る磁束量が少なくなり、軸方向への磁束の回り込みが相対的に大きくなるため、特に本発明の効果がよく発揮され得る。
【００５１】
本発明において、磁気シールド部における突起部は、上記のような円錐形、径方向突条、環状突条に限るものではないが、何れの場合も、ロータマグネットに接する面積をできるだけ小さくして、磁束が突起部を通じて磁気シールド部を流れることを可及的に防ぐことが望ましい。
【００５２】
上記の例は、ハードディスク記録装置に関するものであるが、本発明のスピンドルモータ及びディスク記録装置は、ハードディスク以外の記録ディスク（例えば光ディスク、光磁気ディスク等）の回転駆動にも適用し得、適用対象となる記録ディスクは交換可能なもの（例えば、本発明のスピンドルモータに同軸状連結されて回転駆動されるターンテーブル等の記録ディスク支持部に載置又は保持されて回転駆動されるもの）であると否とを問わない。
【図面の簡単な説明】
【００５３】
【図１】スピンドルモータの要部断面図である。
【図２】ハードディスク記録装置の断面図である。
【図３】ロータマグネットの平面図である。
【図４】スピンドルモータの要部断面図である。
【図５】ロータマグネットの平面図である。
【図６】スピンドルモータの要部断面図である。
【図７】ロータマグネットの平面図である。
【図８】スピンドルモータの要部断面図である。
【図９】ロータマグネットの平面図である。
【図１０】従来のスピンドルモータの断面図である。
【図１１】従来のスピンドルモータの断面図である。
【符号の説明】
【００５４】
１０      基盤
１０ａ    環状凹部
１０ｂ    軸受保持用筒状部
１２      ステータ
１２ａ    ステータコア
１２ｂ    ステータコイル
１４      軸受スリーブ
１４ａ    スラスト環状凹部
１６      回転軸体
１６ａ    軸部
１６ｂ    スラスト環状板部
１８      ロータハブ
１８ａ    上板部
１８ｃ    磁気シールド部
１８ｄ    ハードディスク支持部
１８ｅ    突条部
１８ｆ    円錐部
１８ｇ    環状突条部
１９      ロータハブ
１９ｄ    ハードディスク支持部
２０      ロータマグネット
２２      スラスト円板
２４      磁気シールド板
２４ａ    環状突条部
ＡＣ      アクセス機構
ＣＬ      クランパ
ＣＳ      ケース
ＨＤ      ハードディスク
ＨＤＤ    ハードディスク記録装置
ＨＥ      読み書きヘッド
Ｌ        潤滑油
ＳＰＭ    スピンドルモータ
【図１】
2006246624.tif 000003
【図２】
2006246624.tif 000004
【図３】
2006246624.tif 000005
【図４】
2006246624.tif 000006
【図５】
2006246624.tif 000007
【図６】
2006246624.tif 000008
【図７】
2006246624.tif 000009
【図８】
2006246624.tif 000010
【図９】
2006246624.tif 000011
【図１０】
2006246624.tif 000012
【図１１】
2006246624.tif 000013